(57)【要約】【課題】複数の映像を同時に表示させてプレゼンテーションを行なう際の利便性を向上でき、かつ、視聴者に対して所望の映像に注目させることができる映像表示装置を提供する。【解決手段】２画面表示モードの実行時には、表示部の表示領域１００には、２個の映像信号にそれぞれ基づく２個の映像１および２が同時に表示される。視聴者に対して２個の映像のうちの一の映像に注目させたい場合には、プロジェクタは、表示領域１１０と表示領域１１２との間で、表示させる映像の表示態様を異ならせる。たとえば映像１に注目させたい場合には、映像２を非強調表示させるための映像処理を行なう。このときの映像処理としては、映像１および映像２がともにカラー映像であるときには、映像２のみをカラー映像から白黒（モノクロ）映像に変換する処理が行なわれる。【選択図】図５
2011112762.tif 000002
【特許請求の範囲】
【請求項１】
映像信号に基づく映像を表示する映像表示装置であって、
複数の映像信号供給装置から複数の映像信号が入力される入力部と、
前記複数の映像信号のそれぞれに基づく複数の映像を、複数の表示領域のそれぞれに表示させる表示部と、
前記複数の表示領域の中から１つ以上の表示領域が選択されたときには、前記選択された表示領域と、前記複数の表示領域から前記選択された表示領域を除いた残余の表示領域との間で、表示させる映像の表示態様を異ならせるように前記表示部を制御する制御部とを備える、映像表示装置。
【請求項２】
前記制御部は、前記残余の表示領域における表示映像の画質を低下させることによって前記表示態様を異ならせる、請求項１に記載の映像表示装置。
【請求項３】
前記制御部は、前記残余の表示領域における映像を非表示とすることによって前記表示態様を異ならせる、請求項１に記載の映像表示装置。
【請求項４】
前記制御部は、前記選択された表示領域における表示映像を強調させることによって前記表示態様を異ならせる、請求項１に記載の映像表示装置。
【請求項５】
前記制御部は、前記選択された表示領域における表示映像に対して、前記選択された表示領域を明示するための映像を合成させる、請求項４に記載の映像表示装置。
【請求項６】
前記制御部は、前記選択された表示領域における表示映像と前記残余の表示領域における表示映像とで表示サイズを異ならせることによって、前記表示態様を異ならせる、請求項１に記載の映像表示装置。
【発明の詳細な説明】
【技術分野】
【０００１】
この発明は、映像表示装置に関し、より特定的には、複数の映像を同時に表示可能な映像表示装置に関する。
【背景技術】
【０００２】
近年、映像表示装置においては、複数の種類の入力端子を備えるようになっており、様々な映像ソース（外部映像機器）が接続可能になっている。映像表示装置に複数の映像ソースから映像信号が入力されている場合には、複数の映像信号のうちの一の映像信号に基づく映像を画面の略全体に単独で表示させる１画面表示状態と、複数の映像信号のそれぞれに基づく複数の映像を１つの画面内に表示させる複数画面表示状態とを切替えることができるようになっている。
【０００３】
このような映像表示装置を用いてプレゼンテーションを行なう際に、複数の映像信号に基づく複数の映像をスクリーン内に複数画面表示させて、各映像を説明するときには、視聴者に対して複数の映像のうちの１つに注目させたいことがしばしば生じる。このような場面では、可視光レーザを用いたレーザポインタまたは指示棒を使用して複数の映像を投影しているスクリーン上の所望の映像を指し示しながら説明を行なうことが、一般的になっている。
【０００４】
また、１台のパーソナルコンピュータに複数のプロジェクタを接続して、複数種類の映像を大型スクリーン内の複数の表示画面にそれぞれ表示する複数画面表示（マルチ画面表示）を実行可能な画像表示システムにおいては、たとえば特開２００７−２４０８１３号公報（特許文献１）に開示されるように、各表示画面のうちの１つ以上の表示画面を選択する選択操作が行なわれたときには、当該選択操作によって選択された表示画面に画像を表示している画像表示装置に対して当該表示画面を強調表示させることが行なわれている。
【先行技術文献】
【特許文献】
【０００５】
【特許文献１】特開２００７−２４０８１３号公報
【発明の概要】
【発明が解決しようとする課題】
【０００６】
しかしながら、従来の映像表示装置では、上述したような複数画面表示状態でプレゼンテーションを実際に行なう場面においては、ユーザは、レーザポインタによってポインタ表示を行ないつつ、映像のページ送りなどを行なうために映像ソースを操作する必要があり、映像表示装置の使い勝手を悪くしてしまうという問題があった。
【０００７】
また、レーザポインタで指し示すところが手ぶれの影響によって所望の映像からずれてしまうことによって、視聴者はどの映像について説明をしているのかが分かりにくいという問題があった。
【０００８】
それゆえ、この発明は、かかる課題を解決するためになされたものであり、その目的は、複数の映像を同時に表示させてプレゼンテーションを行なう際の利便性を向上でき、かつ、視聴者に対して所望の映像に注目させることができる映像表示装置を提供することである。
【課題を解決するための手段】
【０００９】
この発明のある局面に従えば、映像信号に基づく映像を表示する映像表示装置は、複数の映像信号供給装置から複数の映像信号が入力される入力部と、複数の映像信号のそれぞれに基づく複数の映像を、複数の表示領域のそれぞれに表示させる表示部と、複数の表示領域の中から１つ以上の表示領域が選択されたときには、選択された表示領域と、複数の表示領域から選択された表示領域を除いた残余の表示領域との間で、表示させる映像の表示態様を異ならせるように表示部を制御する制御部とを備える。
【００１０】
好ましくは、制御部は、残余の表示領域における表示映像の画質を低下させることによって表示態様を異ならせる。
【００１１】
好ましくは、制御部は、残余の表示領域における映像を非表示とすることによって表示態様を異ならせる。
【００１２】
好ましくは、制御部は、選択された表示領域における表示映像を強調させることによって表示態様を異ならせる。
【００１３】
好ましくは、制御部は、選択された表示領域における表示映像に対して、選択された表示領域を明示するための映像を合成させる。
【００１４】
好ましくは、制御部は、選択された表示領域における表示映像と残余の表示領域における表示映像とで表示サイズを異ならせることによって、表示態様を異ならせる。
【発明の効果】
【００１５】
この発明によれば、複数の映像を同時に表示させてプレゼンテーションを行なう際の利便性を向上でき、かつ、視聴者に対して所望の映像に注目させることができる。
【図面の簡単な説明】
【００１６】
【図１】本実施の形態１に係る映像表示装置により映像を投影する場合の周辺装置の構成を説明する図である。
【図２】図１におけるプロジェクタの構成を説明する図である。
【図３】２画面表示モードの実行時におけるプロジェクタの表示映像の一例を説明する図である。
【図４】プロジェクタの動作を説明するためのフローチャートである。
【図５】映像２を非強調表示している状態の表示映像の一例を説明する図である。
【図６】映像２を非強調表示している状態の表示映像の他の例を説明する図である。
【図７】映像２の非強調表示している状態の表示映像の他の例を説明する図である。
【図８】本発明の実施の形態２に係るプロジェクタの動作を説明するためのフローチャートである。
【図９】映像１を強調表示している状態の表示映像の一例を説明する図である。
【図１０】映像１を強調表示している状態の表示映像の他の例を説明する図である。
【図１１】本発明の実施の形態３に係るプロジェクタの動作を説明するためのフローチャートである。
【図１２】映像１を強調表示している状態の表示映像の一例を説明する図である。
【発明を実施するための形態】
【００１７】
以下、本発明の実施の形態について、図面を参照しながら詳細に説明する。なお、図中の同一または相当する部分には同一符号を付してその説明は繰返さない。
【００１８】
［実施の形態１］
図１は、本実施の形態１に係る映像表示装置により映像を投影する場合の周辺装置の構成を説明する図である。
【００１９】
図１を参照して、本実施の形態１に係る映像表示装置（以下、「プロジェクタ」ともいう）１は、液晶デバイスを利用して映像を投影する液晶プロジェクタであって、スクリーンＳＣに液晶デバイスにより表示される映像の光を投写することにより、映像を投影（表示）する。投写面は、スクリーンＳＣに限定されず、壁面であってもよい。
【００２０】
プロジェクタ１は、ユーザが操作するリモコン（リモートコントローラの略）４から送信される赤外線変調されたリモコン信号を受信する操作受付部６４と、入力部９とを備える。リモコン信号には、プロジェクタ１を遠隔制御するためのコマンド信号が含まれる。
【００２１】
なお、操作受付部６４は、リモコン信号を受信するだけでなく、プロジェクタ１の本体に設けられ、プロジェクタ１を操作するための複数の操作用ボタンを有する操作部（図示せず）からの信号も受け付けることができる。
【００２２】
入力部９は、複数の入力端子を含み、各入力端子からは異なる種類の映像信号が入力可能である。なお、本実施の形態では、一例として、入力部９は、４個の入力端子Ｉｎｐｕｔ１〜Ｉｎｐｕｔ４を含むものと想定する。
【００２３】
入力部９には、デジタル伝送路とアナログ伝送路とが接続される。デジタル伝送路は、ＤＶＩ（Digital Visual Interface）準拠の通信ケーブル３Ａと、ＨＤＭＩ（High Definition Multimedia Interface）準拠の通信ケーブル３Ｂとを含む。
【００２４】
通信ケーブル３Ａは、入力部９の入力端子Ｉｎｐｕｔ１に接続され、外部の映像ソースとプロジェクタ１との間でＤＶＩに従って映像信号を伝送する。ＤＶＩ仕様の映像信号（以下、ＤＶＩ信号ともいう）を供給する装置（映像ソース）としては、ＤＶＤ（Digital Versatile Disc）再生装置、Ｂｌｕ−Ｒａｙディスク再生装置などのデジタル信号を出力する映像ソースがある。
【００２５】
通信ケーブル３Ｂは、入力部９の入力端子Ｉｎｐｕｔ２に接続され、外部の映像ソースとプロジェクタ１との間でＨＤＭＩに従って映像信号を伝送する。ＨＤＭＩ仕様の映像信号（以下、ＨＤＭＩ信号ともいう）を供給する映像ソースとしては、ＤＶＤ再生装置、Ｂｌｕ−Ｒａｙディスク再生装置などのデジタル信号を出力する映像ソースがある。
【００２６】
アナログ伝送路は、複数の有線または無線の伝送路７Ａ，７Ｂを含む。各伝送路は、映像ソースとプロジェクタ１との間で信号を伝送する。映像ソースとしては、ＰＣ（Personal Computer）、ＶＴＲ（Videotape Recorder）などのアナログ信号を出力する映像ソースがある。
【００２７】
入力端子Ｉｎｐｕｔ３は、ＲＧＢ端子であり、ＰＣから供給されるＲＧＢアナログ信号に対応する。入力端子Ｉｎｐｕｔ４は、たとえば、Ｖｉｄｅｏ端子であり、ＶＴＲから供給されるＶｉｄｅｏ信号に対応する。
【００２８】
なお、説明を簡単にするため、各映像ソースから送信される信号は映像信号であると想定する。映像信号とともに音声信号も伝送されるが、説明を簡単にするために、音声信号の伝送およびプロジェクタ１における音声信号処理の説明は略す。
【００２９】
（プロジェクタの構成）
図２は、図１におけるプロジェクタ１の構成を説明する図である。
【００３０】
図２を参照して、プロジェクタ１は、入力端子１１〜１４と、ＤＶＩレシーバ２１と、ＨＤＭＩレシーバ２２と、Ａ／Ｄコンバータ２３と、Ｖｉｄｅｏデコーダ２４と、入力選択部３０と、スケーリング部３２，３４と、映像調整部４２，４４と、合成部４６と、液晶表示駆動部５０と、光学系５２と、制御部４０と、保存部６０と、ＯＳＤメモリ６２と、操作受付部６４とを備える。
【００３１】
入力端子１１〜１４は、図１に示す入力部９の入力端子Ｉｎｐｕｔ１〜Ｉｎｐｕｔ４にそれぞれ対応するものである。入力端子１１は、入力端子Ｉｎｐｕｔ１（ＤＶＩ端子）に対応し、入力端子１２は、入力端子Ｉｎｐｕｔ２（ＨＤＭＩ端子）に対応し、入力端子１３は、入力端子Ｉｎｐｕｔ３（ＲＧＢ端子）に対応し、入力端子１４は、入力端子Ｉｎｐｕｔ４（Ｖｉｄｅｏ端子）に対応する。
【００３２】
ＤＶＩレシーバ２１は、入力端子１１で受信したデジタル映像信号（ＤＶＩ信号）を受信処理し、処理後の信号を入力選択部３０に出力する。具体的には、ＤＶＩレシーバ２１は、ＨＤＣＰ（High Definition Multimedia Interface）に従う認証機能および暗号の復号機能を有している。ＨＤＣＰは、ＤＶＩに従って伝送されるデータの暗号化を実現するために用いられる。これにより、デジタル伝送路上を伝送される映像信号などのコンテンツが不正にコピーされるのを防止できる。
【００３３】
ＨＤＣＰによる伝送データ・信号の保護は、まず、送信側（ＤＶＤ再生装置）は受信側（プロジェクタ１）と双方向に通信して相互認証のための情報をやり取りする。当該情報に基づき送信側は受信側を認証する。認証結果、受信側を認証できた場合には、送信側は予め共通に有した鍵を用いてデジタル映像信号を暗号化し、デジタル伝送路を介して受信側に送信する。受信側は、予め共有している鍵を用いて暗号を復号する。送信側が、受信側を認証できない場合には、送信側は受信側へのデジタル映像信号の送信を拒否するので、受信側に対して映像信号は送信されない。
【００３４】
ＨＤＭＩレシーバ２２は、入力端子１２で受信したＨＤＭＩ信号を受信処理し、処理後の信号を入力選択部３０に出力する。ＨＤＭＩレシーバ２２は、上述したＤＶＩレシーバ２１と同様に、ＨＤＣＰに従う認証機能および暗号の復号機能を有している。
【００３５】
Ａ／Ｄコンバータ２３は、入力端子１３で受信したＲＧＢアナログ映像信号をＡ／Ｄ変換し、デジタル映像信号として入力選択部３０に出力する。これは、映像信号に各種の信号処理を施すために行なわれる。
【００３６】
Ｖｉｄｅｏデコーダ２４は、受信したＶｉｄｅｏ信号をコンポーネント信号に変換してからＡ／Ｄ変換処理を含む映像信号処理を施す。Ｖｉｄｅｏデコーダ２４は、処理後の信号を入力選択部３０に出力する。
【００３７】
入力選択部３０は、ＤＶＩレシーバ２１の出力するＤＶＩ信号を入力する第１入力部７１と、ＨＤＭＩレシーバ２２の出力するＨＤＭＩ信号を入力する第２入力部７２と、Ａ／Ｄコンバータ２３の出力するＲＧＢアナログ信号を入力する第３入力部７３と、Ｖｉｄｅｏデコーダ２４の出力するＶｉｄｅｏ信号を入力する第４入力部７４とを含む。また、入力選択部３０は、制御部４０から与えられる切替信号を入力する切替入力部７５と、第１スケーリング部３２が接続される第１出力端子７６と、第２スケーリング部３４が接続される第２出力端子７７とを含む。
【００３８】
入力選択部３０は、制御部４０からの切替信号に従い、４つの入力部７１〜７４のうちから２つの入力部を選択する。そして、入力選択部３０は、その選択した２つの入力部と第１および第２出力端子７６，７７とをそれぞれ接続することにより、該入力部が入力する映像信号を、第１および第２出力端子７６，７７を介して第１および第２スケーリング部３２，３４にそれぞれ供給する。
【００３９】
第１スケーリング部３２は、単一の映像信号に基づく映像を表示部に表示させる１画面表示モードでの表示部（液晶パネル）の解像度を基準（以下、「基準表示サイズ」ともいう）として、制御部４０からの指示に従い、基準表示サイズ以下の予め設定される所望のサイズに応じて映像信号の表す映像の解像度の変換処理を実行する。
【００４０】
また、プロジェクタ１が１画面表示モードから２画面表示モードに切替わったときには、第１スケーリング部３２は、制御部４０からの指示に従って、１画面あたりの表示サイズに応じて、映像信号の表す映像の解像度の変換処理を実行する。この解像度変換処理によって、第１スケーリング部３２は、表示部の解像度以下の解像度を有する表示用の映像を表す映像データを生成する。生成された映像データは、第１映像調整部４２に供給される。
【００４１】
第２スケーリング部３４は、制御部４０からの指示に従い、基準表示サイズ以下の予め設定される所望のサイズに応じて、映像信号の表す映像の解像度の変換処理を実行する。また、プロジェクタ１が１画面表示モードから２画面表示モードに切替わったときには、第２スケーリング部３４は、制御部４０からの指示に従って、１画面あたりの表示サイズに応じて、映像信号の表す映像の解像度の変換処理を実行する。この解像度変換処理によって、第２スケーリング部３４は、表示部の解像度以下の解像度を有する表示用の映像を表す映像データを生成する。生成された映像データは、第２映像調整部４４に供給される。
【００４２】
第１映像調整部４２は、第１スケーリング部３２から映像データを受けると、制御部４０からの指示に従って、該映像データに基づく映像の表示態様を調整する。第１映像調整部４２が調整する映像の表示態様には、映像の表示画質が含まれる。第１映像調整部４２は、映像データの輪郭、輝度、濃度、色相、彩度およびコントラストのうち少なくとも１つのパラメータを調整することにより、映像の表示画質を調整する。
【００４３】
第２映像調整部４４は、第２スケーリング部３４から映像データを受けると、制御部４０からの指示に従って、該映像データに基づく映像の表示態様を調整する。第２映像調整部４４が調整する映像の表示態様には、映像の表示画質が含まれる。第２映像調整部４４は、映像データの輪郭、輝度、濃度、色相、彩度およびコントラストのうち少なくとも１つのパラメータを調整することにより、映像の表示画質を調整する。
【００４４】
第１映像調整部４２および第２映像調整部４４によって映像の表示画質が調整された映像データは、合成部４６に与えられる。合成部４６は、２画面表示モードの実行中には、与えられる２個の映像データに基づき、スクリーンＳＣに表示する１フレーム分のデジタルの映像信号を合成する。合成して得られた１フレーム分の映像信号は、図示しないＤＡＣ（Digital Analog Converter）によってアナログ信号に変換される。合成部４６は、変換後の信号を液晶表示駆動部５０に出力する。
【００４５】
合成部４６は、また、映像信号にて表される映像に、ＯＳＤメモリ６２から入力される映像を合成する、ＯＳＤ機能を司る。合成部４６は、合成した映像データを、フレーム単位で図示しないフレームメモリに記憶させ、フレーム単位で液晶表示駆動部５０に出力する。なお、ＯＳＤメモリ６２から合成すべき映像データが入力されない場合には、合成部４６は、１フレーム分の映像信号をそのまま液晶表示駆動部５０に出力する。
【００４６】
ＯＳＤメモリ６２は、不揮発性のメモリであり、ＯＳＤに用いられるプロジェクタ１の操作状態を表す画面や各種文字パターンなどを記憶している。
【００４７】
液晶表示駆動部５０、光学系５２およびランプ（図示せず）は、ＤＡＣから供給される映像信号に従って、制御部４０の制御の下に、スクリーンＳＣに映像を表示するための「表示部」に相当する。
【００４８】
表示部の動作について説明する。照明装置であるランプは、たとえば超高圧水銀ランプ、メタルハライドランプ、キセノンランプなどからなる。ランプは、コネクタを介してプロジェクタ１に着脱自在に取り付けられる。ランプからは、略平行光となって光が液晶表示駆動部５０に出射される。
【００４９】
液晶表示駆動部５０は、図示しないレンズおよびプリズムを含む光学系と、Ｒ，Ｇ，Ｂの各液晶パネルとを含む。液晶表示駆動部５０では、内部の図示しないレンズ系を通過したランプからの光は、Ｒ，Ｇ，Ｂの各液晶パネルに光量分布が均一となるように入射する。レンズ系を介して入射された光のうち、青色波長帯の光（以下、「Ｂ光」という）、赤色波長帯の光（以下、「Ｒ光」という）、緑色波長帯の光（以下、「Ｇ光」という）は、略平行光でＲ，Ｇ，Ｂの各液晶パネルに入射する。各液晶パネルは、合成部４６から与えられるＲ，Ｇ，Ｂに対応した映像信号に応じて駆動され、その駆動状態に応じて光を変調する。液晶パネルによって変調されたＲ光，Ｇ光，Ｂ光は、ダイクロイックプリズムによって色合成された後に、投写レンズによって、スクリーンＳＣ上に拡大投写される。投写レンズは、投写光をスクリーンＳＣに結像させるためのレンズ群と、これらレンズ群の一部を光軸方向に変化させて投写映像のズーム状態およびフォーカス状態を調整するためのアクチュエータを備えている。
【００５０】
制御部４０は、ＣＰＵ（Central Processing Unit）であり、図示しないバスラインを介して、各部との信号のやり取りを行ない、また、操作受付部６４からの操作信号に沿って各部の動作を制御する。
【００５１】
保存部６０は、たとえば、フラッシュメモリなどのデータの書換えが可能な不揮発性メモリにより構成されている。保存部６０には、プロジェクタ１の動作を指示および制御するための様々な制御プログラムなどが記憶されている。なお、制御プログラムには、投写映像の説明を行なう際に特定の映像を強調表示するためのプログラムとしての「強調表示プログラム」が含まれている。
【００５２】
操作受付部６４は、操作部あるいはリモコン４への操作がなされると、当該操作を受付け、制御部４０へ各種動作のトリガとなる操作信号を送る。操作部またはリモコン４から送信された操作信号は、操作受付部６４を介して制御部４０に入力されて対応する種々の処理が実行される。
【００５３】
この処理の１つとして、本実施の形態に係るプロジェクタ１は、映像信号に基づく映像を表示するためのモードとして、入力部９の複数の入力端子からそれぞれ入力される映像信号のうちの２個の映像信号を選択して、該２個の映像信号にそれぞれ基づく２個の映像を１画面内に表示する「２画面表示モード」を有している。
【００５４】
図３は、２画面表示モードの実行時におけるプロジェクタ１の表示映像の一例を説明する図である。
【００５５】
図３を参照して、２画面表示モードの実行時には、表示部（液晶パネル）の表示領域１００には、２個の映像信号にそれぞれ基づく２個の映像（図中の映像１および映像２に相当）が同時に表示される。同図では、映像１を表示する表示領域１１０と、映像２を表示する表示領域１１２とは、左右に並んで表示され、同じ大きさであると想定する。
【００５６】
なお、２個の映像信号を表示する表示領域の配置は、図３のように横に並列させる態様に限定されず、縦に並列させる態様であってもよい。また、表示領域のサイズは、図３のように同じサイズであってもよいが、異なるサイズであってもよい。
【００５７】
２画面表示モードでは、合成部４６（図２）は、２個の映像が図３に示す所定のレイアウトで配置されるように、第１映像調整部４２および第２映像調整部４４から出力される映像データに合成処理を施す。具体的には、合成部４６は、第１映像調整部４２から出力される映像データに基づく映像が図３の表示領域１１０に表示され、かつ、第２映像調整部４４から出力される映像データに基づく映像が図３の表示領域１１２に表示されるように、合成処理を行なう。すなわち、第１映像調整部４２は、表示領域１１０に表示される映像（映像１）の表示態様を調整することができ、第２映像調整部４４は、表示領域１１２に表示される映像（映像２）の表示態様を調整することができる。
【００５８】
ここで、２画面表示された映像を用いてプレゼンテーションを行なう際には、視聴者に対して２個の映像のうちの一の映像に注目させたい場面がしばしば生じる。このような場面において、本実施の形態１に係るプロジェクタ１は、注目させたい一の映像を、他の映像と明確に区別させるための強調表示を実行する。以下に、強調表示を行なう際のプロジェクタ１の動作について、図面を参照して説明する。
【００５９】
（プロジェクタの動作）
図４は、プロジェクタ１の動作を説明するためのフローチャートである。入力部９に映像信号が入力されると、制御部４０は、図２に示すプロジェクタ１の各部に指示をして、入力された映像信号に基づく映像を表示させるとともに、図４の処理フローに従って動作する。
【００６０】
図４を参照して、ステップＳ０１では、制御部４０は、プロジェクタ１が２画面表示モードに設定されているか否かを判断する。２画面表示モードに設定されていないとき（ステップＳ０１のＮＯ判定時）には、制御部４０は、別途設定された処理フローに従って、入力部９に入力された複数の映像信号のうちから選択した単一の映像信号に基づく映像を画面の略全体に単独で表示（以下、１画面表示ともいう）させて、処理を終了する。
【００６１】
一方、プロジェクタ１が２画面表示モードに設定されているとき（ステップＳ０１のＹＥＳ判定時）には、制御部４０は、操作受付部６４に対して、強調表示に関する操作信号が入力されているか否かを判断する（ステップＳ０２）。この強調表示に関する操作信号は、プロジェクタ１のユーザ（説明者）が、リモコン４または操作部を用いて表示領域１００内の２個の映像のうちの一の映像を選択する操作を行なったときに、リモコン４または操作部から操作受付部６４に対して発せられる信号であって、ユーザが選択した一の映像を指示する。
【００６２】
強調表示に関する操作信号が入力されていないとき（ステップＳ０２のＮＯ判定時）には、制御部４０は、第１映像調整部４２および第２映像調整部４４に指示をして、映像１および映像２を同じ態様で表示させる（ステップＳ０６）。以下では、このときの表示態様を「通常表示」ともいう。
【００６３】
これに対して、操作受付部６４に強調表示に関する操作信号が入力されているとき（ステップＳ０２のＹＥＳ判定時）には、制御部４０は、当該操作信号に基づいて、２個の映像（図３の映像１および映像２）のうちのいずれの映像が強調すべき映像、すなわち、視聴者に注目させたい映像に選択されているか否かを判別する（ステップＳ０３）。
【００６４】
制御部４０は、強調すべき映像を判別すると、第１映像調整部４２および第２映像調整部４４により、該強調すべき映像と他の映像との間で表示させる映像の表示態様を異ならせる処理を実行させる。
【００６５】
具体的には、ステップＳ０３において、映像１が強調すべき映像に選択されたと判断されたときには、制御部４０は、映像１を通常表示時の表示態様で表示する一方で、映像２を通常表示時よりも表示画質を低下させて表示させる（ステップＳ０４）。以下、このときの表示態様を「非強調表示」ともいう。これにより、非強調表示時の映像２の視認性は、通常表示時の視認性よりも低下する。
【００６６】
一方、ステップＳ０３において、映像２が強調すべき映像に選択されたと判断されたときには、制御部４０は、映像２を通常表示時の表示態様で表示する一方で、映像１を非強調表示させる（ステップＳ０５）。これにより、非強調表示時の映像１の視認性は、通常表示時の視認性よりも低下する。
【００６７】
このように、本実施の形態１に係るプロジェクタは、強調表示を行なう際には、複数の映像のうちの所望の映像を除いた他の映像に対して、表示画質を低下させる処理を施すことによって、当該他の映像の視認性を故意的に低下させている。その一方で、表示画質を低下させる処理が施されていない所望の映像は、その表示画質が維持されている。その結果、表示領域内では当該所望の映像の視認性が向上するため、実質的に所望の映像を強調表示させることができる。
【００６８】
このような構成としたことにより、本実施の形態１に係るプロジェクタによれば、視聴者に対して複数の映像のうちの一の映像に注目させたい場面において、リモコンまたは操作部を用いて所望の映像を選択するだけで、該所望の映像を強調表示させることができる。したがって、レーザポインタや指示棒を用いて所望の映像を指し示すことが不要となるため、プレゼンテーションを行なう際の説明者の利便性が向上する。
【００６９】
また、表示領域内において所望の映像とそれ以外の他の映像とで表示態様を異ならせるため、所望の映像と他の映像とを明確に区別させることができる。特に、表示画質を低下させることで他の映像の視認性を故意的に低下させていることから、所望の映像の視認性をし易くしているため、視聴者に対して所望の映像を確実に注目させることができる。
【００７０】
（非強調表示について）
次に、本実施の形態１に係るプロジェクタが行なう映像の非強調表示について、図面を参照して説明する。
【００７１】
図５は、映像２を非強調表示している状態の表示映像の一例を説明する図である。同図では、表示領域１１０，１１２に２個の映像（映像１および映像２）をそれぞれ表示させた状態（２画面表示状態）において、視聴者に対して映像１に注目させたい場合を想定している。
【００７２】
このような場合、プロジェクタ１は、映像２を非強調表示させるための映像処理を行なう。映像処理としては、映像１および映像２がともにカラー映像であるときには、映像２のみをカラー映像から白黒（モノクロ）映像に変換する処理が行なわれる。具体的には、制御部４０は、２画面表示状態において映像１を選択する操作が行なわれたことを検出したときには、第２映像調整部４４によりカラー映像を白黒映像に変換させる。第２映像調整部４４は、第２スケーリング部３４から入力された映像データに対して、たとえばＲＧＢ→ＹＣｂＣｒ変換を行なうことによってＹデータのみを取り出してカラー情報を削除することにより、データ存在部分に対応した白黒映像を生成する。
【００７３】
図６は、映像２を非強調表示している状態の表示映像の他の例を説明する図である。同図では、図５の例と同様に、視聴者に対して映像１に注目させたい場合を想定している。
【００７４】
この場合、プロジェクタ１は、映像２を非強調表示させるための処理として、映像２を、元の映像からたとえば青色ベタの画面（以下、「無信号画面」ともいう）に切替える。具体的には、制御部４０は、２画面表示状態において映像１を選択する操作が行なわれたことを検出したときには、第２映像調整部４４からの合成部４６に対する映像データの出力を停止させる。これにより、合成部４６には、第１映像調整部４２からの映像データのみが与えられる。合成部４６は、ＯＳＤメモリ６２から無信号画面を表す映像データを読出すと、これら２つの映像データに基づき、スクリーンに表示する１フレーム分の映像信号を合成する。
【００７５】
このように、図６の例では、所望の映像１以外の他の映像２を表示状態から非表示状態へと切替えることで、表示領域１００には映像１のみが表示されることとなる。したがって、視聴者に対して映像１を確実に注目させることができる。
【００７６】
図７は、映像２の非強調表示している状態の表示映像の他の例を説明する図である。同図では、図５の例と同様に、視聴者に対して映像１に注目させたい場合を想定している。
【００７７】
この場合、プロジェクタ１は、映像２を非強調表示させるための処理として、映像２のコントラストを低下させる処理を行なう。具体的には、制御部４０は、２画面表示状態において映像１を選択する操作が行なわれたことを検出したときには、第２映像調整部４４により映像２のコントラストを低下させる。これにより、表示領域１００内では、映像２がかすんで見えるようになるのに対して、映像１はくっきり見える。したがって、視聴者に対して映像１を確実に注目させることができる。
【００７８】
なお、映像２を非強調表示させるための処理は、図５から図７に示す処理に限定されるものではなく、映像データの輪郭、輝度、濃度、色相、彩度およびコントラストのうちの少なくとも１つのパラメータを調整することによって、映像２の表示画質を低下させることができる。
【００７９】
たとえば非強調表示のための処理には、輝度を低下させる処理がさらに含まれる。当該処理によれば、表示領域１００内の映像２が暗く見えるようになるのに対して、映像１が明るく見える。
【００８０】
また、映像２の輪郭をぼかす処理を行なうことによって、表示領域１００内の映像２がぼやけて見えるのに対して、映像１がはっきり見える。あるいは、映像の彩度を低下させる処理を行なうことによって、表示領域１００内の映像２が淡い色で表示させるのに対して、映像１が鮮やかな色で表示される。
【００８１】
さらに、映像２のコントラストを低下させる処理と映像の輝度を低下させる処理を組み合わせた場合には、表示領域１００内の映像２の視認性がより一層低下するため、視聴者に対して映像１をより確実に注目させることができる。
【００８２】
［実施の形態２］
本発明の実施の形態２に係るプロジェクタの構成および基本動作は、実施の形態１に係るプロジェクタ１と同様であるため、同一の符号を用いることでその説明を省略し、ここでは、実施の形態１とは異なる映像処理についてのみ説明する。
【００８３】
図８は、本発明の実施の形態２に係るプロジェクタの動作を説明するためのフローチャートである。入力部９に映像信号が入力されると、制御部４０は、図２に示すプロジェクタ１の各部に指示をして、入力された映像信号に基づく映像を表示させるとともに、図８の処理フローに従って動作する。
【００８４】
図８を参照して、ステップＳ１１では、制御部４０は、プロジェクタ１が２画面表示モードに設定されているか否かを判断する。２画面表示モードに設定されていないとき（ステップＳ１１のＮＯ判定時）には、制御部４０は、別途設定された処理フローに従って、入力部９に入力された複数の映像信号のうちから選択した単一の映像信号に基づく映像を１画面表示させて、処理を終了する。
【００８５】
一方、プロジェクタ１が２画面表示モードに設定されているとき（ステップＳ１１のＹＥＳ判定時）には、制御部４０は、操作受付部６４に対して、強調表示に関する操作信号が入力されているか否かを判断する（ステップＳ１２）。強調表示に関する操作信号が入力されていないとき（ステップＳ１２のＮＯ判定時）には、制御部４０は、第１映像調整部４２および第２映像調整部４４により映像１および映像２を通常表示させる（ステップＳ１６）。
【００８６】
これに対して、操作受付部６４に強調表示に関する操作信号が入力されているとき（ステップＳ１２のＹＥＳ判定時）には、制御部４０は、当該操作信号に基づいて、２個の映像（図３の映像１および映像２）のうちのいずれの映像が強調すべき映像、すなわち、視聴者に注目させたい映像に選択されているか否かを判別する（ステップＳ１３）。
【００８７】
制御部４０は、強調すべき映像を判別すると、第１映像調整部４２および第２映像調整部４４により、該強調すべき映像と他の映像との間で表示させる映像の表示態様を異ならせる処理を実行させる。
【００８８】
具体的には、ステップＳ１３において、映像１が強調すべき映像に選択されたと判断されたときには、制御部４０は、映像２を通常表示時の表示態様で表示する一方で、映像１を強調表示させる（ステップＳ１４）。一方、ステップＳ１３において、映像２が強調すべき映像に選択されたと判断されたときには、制御部４０は、映像１を通常表示時の表示態様で表示する一方で、映像２を強調表示させる（ステップＳ１５）。
【００８９】
このように、本実施の形態２に係るプロジェクタは、強調表示を行なう際には、強調すべき映像を表示領域１００内で強調表示させる処理を行なう。すなわち、本実施の形態２に係るプロジェクタは、表示領域１００内の映像１と映像２とで表示態様を異ならせる点において、先の実施の形態１に係るプロジェクタと共通している。一方で、強調すべき映像を直接的に強調表示させる点で、強調すべき映像以外の他の映像を非強調表示させる処理を行なう先の実施の形態１に係るプロジェクタとは異なっている。
【００９０】
このような構成としたことにより、本実施の形態２に係るプロジェクタによれば、視聴者に対して複数の映像のうちの一の映像に注目させたい場面において、リモコンまたは操作部を用いて所望の映像を選択するだけで、該所望の映像を強調表示させることができるため、プレゼンテーションを行なう際の説明者の利便性が向上するとともに、所望の映像を強調表示させることで視聴者に対して該所望の映像を確実に注目させることができる。
【００９１】
（強調表示について）
次に、本実施の形態２に係るプロジェクタが行なう映像の強調表示について、図面を参照して説明する。
【００９２】
図９は、映像１を強調表示している状態の表示映像の一例を説明する図である。同図では、表示領域１１０，１１２に２個の映像（映像１および映像２）をそれぞれ表示させた状態（２画面表示状態）において、視聴者に対して映像１に注目させたい場合を想定している。
【００９３】
このような場合、プロジェクタ１は、映像１を強調表示させるための映像処理を行なう。映像処理としては、映像１を囲む枠画像を合成させる処理が行なわれる。具体的には、制御部４０は、２画面表示状態において映像１を選択する操作が行なわれたことを検出したときには、合成部４６により映像１の表示領域１１０に合わせた枠画像を生成して表示領域１１０を囲むように合成表示させる。
【００９４】
このように、図９の例では、所望の映像１を囲み表示することで、視聴者に対して映像１を注目させることができる。
【００９５】
図１０は、映像１を強調表示している状態の表示映像の他の例を説明する図である。同図では、図９の例と同様に、視聴者に対して映像１に注目させたい場合を想定している。
【００９６】
この場合、プロジェクタ１は、映像１を強調表示させるための処理として、映像１を指し示すポインタ画像を合成する処理が行なわれる。具体的には、制御部４０は、２画面表示状態において映像１を選択する操作が行なわれたことを検出したときには、合成部４６によりポインタ画像を生成して表示領域１１０上に位置するように合成表示させる。
【００９７】
なお、映像１を強調表示させるための処理は、図９および図１０に示す処理に限定されるものではなく、映像データの輪郭、輝度、濃度、色相、彩度およびコントラストのうちの少なくとも１つのパラメータを調整することによって、映像１を目立たせることができる。たとえば、映像１を目立つ色に着色することで強調させるようにしてもよい。
【００９８】
［実施の形態３］
本発明の実施の形態３に係るプロジェクタの構成および基本動作は、実施の形態１に係るプロジェクタ１と同様であるため、同一の符号を用いることでその説明を省略し、ここでは、実施の形態１とは異なる映像処理についてのみ説明する。
【００９９】
図１１は、本発明の実施の形態３に係るプロジェクタの動作を説明するためのフローチャートである。入力部９に映像信号が入力されると、制御部４０は、図２に示すプロジェクタ１の各部に指示をして、入力された映像信号に基づく映像を表示させるとともに、図１１の処理フローに従って動作する。
【０１００】
図１１を参照して、ステップＳ１１では、制御部４０は、プロジェクタ１が２画面表示モードに設定されているか否かを判断する。２画面表示モードに設定されていないとき（ステップＳ２１のＮＯ判定時）には、制御部４０は、別途設定された処理フローに従って、入力部９に入力された複数の映像信号のうちから選択した単一の映像信号に基づく映像を１画面表示させて、処理を終了する。
【０１０１】
一方、プロジェクタ１が２画面表示モードに設定されているとき（ステップＳ２１のＹＥＳ判定時）には、制御部４０は、操作受付部６４に対して、強調表示に関する操作信号が入力されているか否かを判断する（ステップＳ２２）。強調表示に関する操作信号が入力されていないとき（ステップＳ２２のＮＯ判定時）には、制御部４０は、第１映像調整部４２および第２映像調整部４４により映像１および映像２を通常表示させる（ステップＳ２６）。
【０１０２】
これに対して、操作受付部６４に強調表示に関する操作信号が入力されているとき（ステップＳ２２のＹＥＳ判定時）には、制御部４０は、当該操作信号に基づいて、２個の映像（図３の映像１および映像２）のうちのいずれの映像が強調すべき映像、すなわち、視聴者に注目させたい映像に選択されているか否かを判別する（ステップＳ２３）。
【０１０３】
制御部４０は、強調すべき映像を判別すると、第１映像調整部４２および第２映像調整部４４により、該強調すべき映像と他の映像との間で表示させる映像の表示態様を異ならせる処理を実行させる。
【０１０４】
具体的には、ステップＳ２３において、映像１が強調すべき映像に選択されたと判断されたときには、制御部４０は、映像２を通常表示時の表示サイズよりも縮小させた表示態様で表示する一方で、映像１を通常表示時の表示サイズよりも拡大させた表示態様で表示示させる（ステップＳ２４）。一方、ステップＳ２３において、映像２が強調すべき映像に選択されたと判断されたときには、制御部４０は、映像１を通常表示時の表示サイズよりも縮小させた表示態様で表示する一方で、映像２を通常表示時の表示サイズよりも拡大させた表示態様で表示させる（ステップＳ２５）。
【０１０５】
図１２は、映像１を強調表示している状態の表示映像の一例を説明する図である。同図では、表示領域１１０，１１２に２個の映像（映像１および映像２）をそれぞれ表示させた状態（２画面表示状態）において、視聴者に対して映像１に注目させたい場合を想定している。
【０１０６】
図１２の例では、映像１を拡大表示させる処理とともに、映像２を縮小表示させる処理が行なわれている。具体的には、制御部４０が、２画面表示状態において映像１を選択する操作が行なわれたことを検出したときには、第１スケーリング部３２を指示して、映像１の表示サイズを予め定められた拡大表示用の表示サイズとなるように、解像度変換処理を実行させる。また、制御部４０は、第２スケーリング部３４を指示して、映像２の表示サイズを予め定められた縮小表示用の表示サイズとなるように、解像度変換処理を実行させる。
【０１０７】
このように、本実施の形態３に係るプロジェクタは、強調表示を行なう際には、強調すべき映像と他の映像とで表示サイズを異ならせる処理を行なう。なお、図１２の例では、強調すべき映像を拡大表示する処理と他の映像を縮小表示する処理とを並行して行なう構成としたが、いずれか一方の処理のみを行なうようにしてもよい。たとえば映像１の表示サイズを変えずに映像２を縮小表示することによって映像２を非強調表示させてもよい。あるいは、映像２の表示サイズを変えずに映像１を拡大表示することによって映像１を強調表示させてもよい。
【０１０８】
このような構成としたことにより、本実施の形態３に係るプロジェクタによれば、視聴者に対して複数の映像のうちの一の映像に注目させたい場面において、リモコンまたは操作部を用いて所望の映像を選択するだけで、該所望の映像を強調表示させることができるため、プレゼンテーションを行なう際の説明者の利便性が向上するとともに、視聴者に対して所望の映像を確実に注目させることができる。
【０１０９】
なお、上述した実施の形態では、２画面表示において複数の映像ソースから入力された映像信号を切替える態様について説明したが、３個以上の映像信号を同時に表示するマルチ画面表示においても本実施の形態を同様に適用可能である。この場合は、表示領域内の３個以上の映像のうちの一の映像が選択されたことに応じて、該一の映像と他の映像とで上述した表示態様を異ならせる処理が行なわれる。
【０１１０】
この所望の映像と他の映像とで表示態様を異ならせる処理として、上述した実施の形態では、表示画質を異ならせる処理および表示サイズを異ならせる処理について個別に説明したが、本発明の範囲はこれに限定されるものではなく、各処理を組合せて適用することも可能である。
【０１１１】
また、上述した実施の形態では、所望の映像を強調表示させる処理と、他の映像を非強調表示させる処理とについて個別に説明したが、これら２つの処理を組合せて適用することも可能である。
【０１１２】
なお、上述した実施の形態１〜３では、プロジェクタとして液晶プロジェクタを採用したが、これに限定されるものではない。たとえば、ＤＬＰ（Digital Light Processing）（登録商標）方式のプロジェクタ等の他の方式のプロジェクタに本発明の技術を採用してもよい。
【０１１３】
今回開示された実施の形態は、すべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【符号の説明】
【０１１４】
１  プロジェクタ、３Ａ，３Ｂ  通信ケーブル、４  リモコン、７Ａ，７Ｂ  伝送路、９  入力部、１１〜１４  入力端子、２１  ＤＶＩレシーバ、２２  ＨＤＭＩレシーバ、２３  Ａ／Ｄコンバータ、２４  Ｖｉｄｅｏデコーダ、３０  入力選択部、３２，３４  スケーリング部、４０  制御部、４２，４４  映像調整部、４６  合成部、５０  液晶表示駆動部、５２  光学系、６０  保存部、６２  ＯＳＤメモリ、６４  操作受付部、１００，１１０，１１２  表示領域、ＳＣ  スクリーン。
【図１】
2011112762.tif 000003
【図２】
2011112762.tif 000004
【図３】
2011112762.tif 000005
【図４】
2011112762.tif 000006
【図５】
2011112762.tif 000007
【図６】
2011112762.tif 000008
【図７】
2011112762.tif 000009
【図８】
2011112762.tif 000010
【図９】
2011112762.tif 000011
【図１０】
2011112762.tif 000012
【図１１】
2011112762.tif 000013
【図１２】
2011112762.tif 000014